【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
外部から更新データを取得し、その取得した更新データを用いたインストールを書換え対象の電子制御装置に指示し、その取得した更新データを書換え対象の電子制御装置に配信する車両用マスタ装置（１１）において、
インストールに関するユーザ承諾が得られている第１条件、センター装置とデータ通信可能である第２条件、車両状態がインストール可能な状態である第３条件、書換え対象の電子制御装置がインストール可能な状態である第４条件、更新データが正常なデータである第５条件の全てが成立しているか否かを判定するインストール条件判定部（７７ａ）と、
前記第１条件、前記第２条件、前記第３条件、前記第４条件及び前記第５条件の全てが成立していると前記インストール条件判定部により判定された場合に、前記更新データを用いたインストールを書換え対象の電子制御装置に指示するインストール指示部（７７ｂ）と、を備え、
前記インストール条件判定部は、第１書換え対象の電子制御装置に対して前記第４条件及び前記第５条件が成立しているか否かを判定し、
前記インストール指示部は、前記第１条件、前記第２条件、前記第３条件、前記第１書換え対象の電子制御装置に対する前記第４条件及び前記第５条件の全てが成立していると前記インストール条件判定部により判定された場合に、更新データを用いたインストールを前記第１書換え対象の電子制御装置に指示し、
前記インストール条件判定部は、前記インストール指示部がプログラムのインストールを前記第１書換え対象の電子制御装置に指示した後に、第２書換え対象の電子制御装置に対して前記第４条件及び前記第５条件が成立しているか否かを判定し、
前記インストール指示部は、前記第１条件、前記第２条件、前記第３条件、前記第２書換え対象の電子制御装置に対する前記第４条件及び前記第５条件の全てが成立していると前記インストール条件判定部により判定された場合に、更新データを用いたインストールを前記第２書換え対象の電子制御装置に指示する車両用マスタ装置。
【請求項２】
外部から更新データを取得し、その取得した更新データを用いたインストールを書換え対象の電子制御装置に指示し、その取得した更新データを書換え対象の電子制御装置に配信する車両用マスタ装置（１１）において、
インストールに関するユーザ承諾が得られている第１条件、センター装置とデータ通信可能である第２条件、車両状態がインストール可能な状態である第３条件、書換え対象の電子制御装置がインストール可能な状態である第４条件、更新データが正常なデータである第５条件の全てが成立しているか否かを判定するインストール条件判定部（７７ａ）と、
前記第１条件、前記第２条件、前記第３条件、前記第４条件及び前記第５条件の全てが成立していると前記インストール条件判定部により判定された場合に、前記更新データを用いたインストールを書換え対象の電子制御装置に指示するインストール指示部（７７ｂ）と、を備え、
前記インストール条件判定部は、第１書換え対象の電子制御装置に対して前記第４条件及び前記第５条件が成立しているか否かを判定し、第２書換え対象の電子制御装置に対して前記第４条件及び前記第５条件が成立しているか否かを判定し、
前記インストール指示部は、前記第１条件、前記第２条件、前記第３条件、前記第１書換え対象の電子制御装置に対する前記第４条件及び前記第５条件、前記第２書換え対象の電子制御装置に対する前記第４条件及び前記第５条件の全てが成立していると前記インストール条件判定部により判定された場合に、更新データを用いたインストールを前記第１書換え対象の電子制御装置又は前記第２書換え対象の電子制御装置に指示する車両用マスタ装置。
【請求項３】
前記インストール条件判定部は、前記第１条件が成立しているか否かを判定し、前記第１条件が成立していると判定した後に、前記第２条件、前記第３条件、前記第４条件及び前記第５条件が成立しているか否かを判定する請求項１又は２に記載した車両用マスタ装置。
【請求項４】
前記インストール条件判定部は、前記第２条件、前記第３条件、前記第４条件及び前記第５条件が成立しているか否かを判定し、前記第２条件、前記第３条件、前記第４条件、及び前記第５条件の全てが成立していると判定した後に、前記第１条件が成立しているか否かを判定する請求項１又は２に記載した車両用マスタ装置。
【請求項５】
センター装置から更新に関する車両状態情報を取得する車両状態情報取得部（７７ｃ）を備え、
前記インストール条件判定部は、センター装置から前記車両状態情報取得部により取得された車両状態情報に基づいて前記第３条件が成立しているか否かを判定する請求項１から４の何れか一項に記載した車両用マスタ装置。
【請求項６】
書換え対象の全ての電子制御装置においてインストールが完了した場合に、インストールした前記更新データを有効化するアクティベートに関するユーザ承諾が得られている第６条件、車両状態がアクティベート可能な状態である第７条件、書換え対象の電子制御装置がアクティベート可能な状態である第８条件、の全てが成立しているか否かを判定するアクティベート条件判定部（７７ｄ）と、
前記第６条件、前記第７条件及び前記第８条件の全てが成立していると前記アクティベート条件判定部により判定された場合に、アクティベートを書換え対象の電子制御装置に指示するアクティベート指示部（７７ｅ）と、を備える請求項１から５の何れか一項に記載した車両用マスタ装置。
【請求項７】
前記アクティベート条件判定部は、車両状態が駐車状態であるか否かに基づいて前記第７条件が成立しているか否かを判定する請求項６に記載した車両用マスタ装置。
【請求項８】
外部から更新データを取得し、その取得した更新データを用いたインストールを書換え対象の電子制御装置に指示し、その取得した更新データを書換え対象の電子制御装置に配信する車両用マスタ装置（１１）において、
第１書換え対象の電子制御装置に対して当該第１書換え対象の電子制御装置がインストール可能な状態である第４条件及び更新データが正常なデータである第５条件が成立しているか否かを判定する第１インストール条件判定手順と、
インストールに関するユーザ承諾が得られている第１条件、センター装置とデータ通信可能である第２条件、車両状態がインストール可能な状態である第３条件、前記第１書換え対象の電子制御装置に対する前記第４条件及び前記第５条件の全てが成立していると前記第１インストール条件判定手順により判定した場合に、更新データを用いたインストールを前記第１書換え対象の電子制御装置に指示する第１インストール指示手順と、
前記第１インストール指示手順によりプログラムのインストールを前記第１書換え対象の電子制御装置に指示した後に、第２書換え対象の電子制御装置に対して当該第２書換え対象の電子制御装置がインストール可能な状態である第４条件及び更新データが正常なデータである第５条件が成立しているか否かを判定する第２インストール条件判定手順と、
インストールに関するユーザ承諾が得られている第１条件、センター装置とデータ通信可能である第２条件、車両状態がインストール可能な状態である第３条件、前記第２書換え対象の電子制御装置に対する前記第４条件及び前記第５条件の全てが成立していると前記第２インストール条件判定手順により判定した場合に、前記更新データを用いたインストールを前記第２書換え対象の電子制御装置に指示する第２インストール指示手順と、を行うインストールの指示判定方法。
【請求項９】
外部から更新データを取得し、その取得した更新データを用いたインストールを書換え対象の電子制御装置に指示し、その取得した更新データを書換え対象の電子制御装置に配信する車両用マスタ装置（１１）において、
第１書換え対象の電子制御装置に対して当該第１書換え対象の電子制御装置がインストール可能な状態である第４条件及び更新データが正常なデータである第５条件が成立しているか否かを判定し、第２書換え対象の電子制御装置に対して当該第２書換え対象の電子制御装置がインストール可能な状態である第４条件及び更新データが正常なデータである第５条件が成立しているか否かを判定するインストール条件判定手順と、
インストールに関するユーザ承諾が得られている第１条件、センター装置とデータ通信可能である第２条件、車両状態がインストール可能な状態である第３条件、前記第１書換え対象の電子制御装置に対する前記第４条件及び前記第５条件、前記第２書換え対象の電子制御装置に対する前記第４条件及び前記第５条件の全てが成立していると前記インストール条件判定手順により判定した場合に、前記更新データを用いたインストールを前記第１書換え対象の電子制御装置又は前記第２書換え対象の電子制御装置に指示するインストール指示手順と、を行うインストールの指示判定方法。
【請求項１０】
外部から更新データを取得し、その取得した更新データを用いたインストールを書換え対象の電子制御装置に指示し、その取得した更新データを書換え対象の電子制御装置に配信する車両用マスタ装置（１１）に、
第１書換え対象の電子制御装置に対して当該第１書換え対象の電子制御装置がインストール可能な状態である第４条件及び更新データが正常なデータである第５条件が成立しているか否かを判定する第１インストール条件判定手順と、
インストールに関するユーザ承諾が得られている第１条件、センター装置とデータ通信可能である第２条件、車両状態がインストール可能な状態である第３条件、前記第１書換え対象の電子制御装置に対する前記第４条件及び前記第５条件の全てが成立していると前記第１インストール条件判定手順により判定した場合に、更新データを用いたインストールを前記第１書換え対象の電子制御装置に指示する第１インストール指示手順と、
前記第１インストール指示手順によりプログラムのインストールを前記第１書換え対象の電子制御装置に指示した後に、第２書換え対象の電子制御装置に対して当該第２書換え対象の電子制御装置がインストール可能な状態である第４条件及び更新データが正常なデータである第５条件が成立しているか否かを判定する第２インストール条件判定手順と、
インストールに関するユーザ承諾が得られている第１条件、センター装置とデータ通信可能である第２条件、車両状態がインストール可能な状態である第３条件、前記第２書換え対象の電子制御装置に対する前記第４条件及び前記第５条件の全てが成立していると前記第２インストール条件判定手順により判定した場合に、前記更新データを用いたインストールを前記第２書換え対象の電子制御装置に指示する第２インストール指示手順と、を実行させるインストールの指示判定プログラム。
【請求項１１】
外部から更新データを取得し、その取得した更新データを用いたインストールを書換え対象の電子制御装置に指示し、その取得した更新データを書換え対象の電子制御装置に配信する車両用マスタ装置（１１）に、
第１書換え対象の電子制御装置に対して当該第１書換え対象の電子制御装置がインストール可能な状態である第４条件及び更新データが正常なデータである第５条件が成立しているか否かを判定し、第２書換え対象の電子制御装置に対して当該第２書換え対象の電子制御装置がインストール可能な状態である第４条件及び更新データが正常なデータである第５条件が成立しているか否かを判定するインストール条件判定手順と、
インストールに関するユーザ承諾が得られている第１条件、センター装置とデータ通信可能である第２条件、車両状態がインストール可能な状態である第３条件、前記第１書換え対象の電子制御装置に対する前記第４条件及び前記第５条件、前記第２書換え対象の電子制御装置に対する前記第４条件及び前記第５条件の全てが成立していると前記インストール条件判定手順により判定した場合に、前記更新データを用いたインストールを前記第１書換え対象の電子制御装置又は前記第２書換え対象の電子制御装置に指示するインストール指示手順と、を実行させるインストールの指示判定プログラム。